(57)【要約】【課題】  防水性が高くて低コスト化を図ることができる機能パネル付設屋根を提供する。【解決手段】  植栽タイルや太陽電池パネルなどの機能パネル１を表面に付設した機能パネル付設屋根に関する。屋根材２の一側端部に嵌合部３を上方に突出して設けると共に屋根材２の他側端部に被嵌合部４を上方に突出して設ける。複数枚の屋根材２、２…を屋根下地５に載置すると共に隣接する屋根材２、２の嵌合部３と被嵌合部４とを嵌合して接続部６を形成する。隣り合う接続部６、６の間にその長手方向に沿って複数枚の機能パネル１、１…を並設する。接続部６に長尺の押えキャップ７を取り付けると共に押えキャップ７で複数枚の機能パネル１、１…を上から押さえて固定する。【選択図】  図１
2007051478.tif 000002
【特許請求の範囲】
【請求項１】
植栽タイルや太陽電池パネルなどの機能パネルを表面に付設した機能パネル付設屋根であって、屋根材の一側端部に嵌合部を上方に突出して設けると共に屋根材の他側端部に被嵌合部を上方に突出して設け、複数枚の屋根材を屋根下地に載置すると共に隣接する屋根材の嵌合部と被嵌合部とを嵌合して接続部を形成し、隣り合う接続部の間にその長手方向に沿って複数枚の機能パネルを並設し、長尺の押えキャップを接続部に取り付けると共に押えキャップで複数枚の機能パネルを上から押さえて固定して成ることを特徴とする機能パネル付設屋根。
【請求項２】
押えキャップをキャップ本体と係止具とで構成し、係止具を接続部に固定具で固定すると共に係止具にキャップ本体を係止することによって、係止具及び固定具をキャップ本体で覆って接続部に押えキャップを取り付けて成ることを特徴とする請求項１に記載の機能パネル付設屋根。
【請求項３】
波板状に形成した屋根材を用いて成ることを特徴とする請求項１又は２に記載の機能パネル付設屋根。
【請求項４】
屋根材の表面に貯水用の凹部を設けて成ることを特徴とする請求項１又は２に記載の機能パネル付設屋根。
【発明の詳細な説明】
【技術分野】
【０００１】
本発明は、緑化屋根や太陽光発電屋根などとして用いられる機能パネル付設屋根に関するものである。
【背景技術】
【０００２】
従来より、植物を植生した植栽タイルを屋根の上に付設して緑化屋根を形成することが行われている。例えば、母屋などの屋根下地の上に屋根材を敷設すると共にこの屋根材に複数枚の植栽タイルを載置し、屋根材に複数個の固定用金具を取り付けると共に複数個の固定用金具で一個の植栽タイルの二隅又は四隅を上側から押さえ付けて固定することが行われている（例えば、特許文献１、２参照）。
【０００３】
また、植物を植生した植栽マットを用いた場合は、屋根下地の上に敷設した屋根材に複数枚の植栽マットを載置し、複数枚の植栽マットを覆うようにして網状体（ネット）を配設したり、植栽マットを熱融着で屋根材に接着したりして植栽マットを固定することが行われている（例えば、特許文献３〜８参照）。
【０００４】
しかし、これらの工法では部品点数が多くなったり、施工に手間がかかったりしてコスト高になるという問題があった。特に、植栽タイルの四隅に金具を取付けて固定する方法では、押える部分のタイルが欠けたり、押え面積が少ない為、固定強度が低下する危険があった。
【０００５】
さらに、植栽タイルを保持するためのタイル受けトレイを屋根下地の上に敷設した屋根材にビス等の固定具で直止めし、この後、隣接するタイル受けトレイ同士の隙間を仕上げる材料としてカバーを施工する構造のものもあるが（特許文献９参照）、防水性が低いという問題があった。
【特許文献１】特開２００５−８０６０９号公報
【特許文献２】特開２００５−１０５５３６号公報
【特許文献３】特開２００３−３２１９０６号公報
【特許文献４】特開２００２−３５６９６１号公報
【特許文献５】特開２００３−１８４２３８号公報
【特許文献６】特開２００１−１２８５５５号公報
【特許文献７】特許第３５５７１３６号公報
【特許文献８】特許第３５９００２０号公報
【特許文献９】特開２００２−２９１３２８号公報
【発明の開示】
【発明が解決しようとする課題】
【０００６】
本発明は上記の点に鑑みてなされたものであり、防水性が高くて低コスト化を図ることができる機能パネル付設屋根を提供することを目的とするものである。
【課題を解決するための手段】
【０００７】
本発明の機能パネル付設屋根は、植栽タイルや太陽電池パネルなどの機能パネル１を表面に付設した機能パネル付設屋根であって、屋根材２の一側端部に嵌合部３を上方に突出して設けると共に屋根材２の他側端部に被嵌合部４を上方に突出して設け、複数枚の屋根材２、２…を屋根下地５に載置すると共に隣接する屋根材２、２の嵌合部３と被嵌合部４とを嵌合して接続部６を形成し、隣り合う接続部６、６の間にその長手方向に沿って複数枚の機能パネル１、１…を並設し、接続部６に長尺の押えキャップ７を取り付けると共に押えキャップ７で複数枚の機能パネル１、１…を上から押さえて固定して成ることを特徴とするものである。
【０００８】
本発明にあっては、押えキャップ７をキャップ本体８と係止具９とで構成し、係止具９を接続部６に固定具１１で固定すると共に係止具９にキャップ本体８を係止することによって、係止具９及び固定具１１をキャップ本体８で覆って接続部６に押えキャップ７を取り付けることができる。
【０００９】
また、本発明にあっては、波板状に形成した屋根材２を用いることができる。
【００１０】
また、本発明にあっては、屋根材２の表面に貯水用の凹部１０を設けることができる。
【発明の効果】
【００１１】
本発明では、接続部６に取り付けた長尺の押えキャップ７の押え部１２で複数枚の機能パネル１、１…を上から押さえて固定することができ、一つの押えキャップ７で複数枚の機能パネル１、１…を同時に固定することができるものである。従って、部品点数が多くなったり、施工に手間がかかったりすることが少なくなり、低コスト化を図ることができるものであり、しかも、機能パネル１を屋根材２の表面にビス止めしないために防水性を高くすることができるものである。すなわち、本発明では、押えキャップ７を用いて機能パネル１、１…上面側部を全長に亘って押さえ込む為、機能パネル１、１…の欠けに関係無く、安定した固定強度を維持することができ、また機能パネル１、１…を部分的に押えないため、機能パネル１、１…の欠けも防ぐことができる。
【００１２】
また、係止具９及び固定具１１をキャップ本体８で覆って係止具９を介してキャップ本体８を接続部６に取り付けることにより、固定具１１による係止具９の固定部分をキャップ本体８で覆うことができ、防水性をさらに向上させることができるものである。
【００１３】
また、波板状に形成した屋根材２を用いることによって、屋根材２とそれに載置した機能パネル１との間に隙間を形成することができ、この隙間を通して雨水を屋根材２上で流下させることができて屋根の排水性を損なわないようにすることができるものである。
【００１４】
また、屋根材２の表面に貯水用の凹部１０を設けることによって、凹部１０に貯水した雨水を、凹部１０に載置した機能パネル１である植栽タイルの植物に供給することができ、植栽タイルの水不足を少なくすることができるものである。
【発明を実施するための最良の形態】
【００１５】
以下、本発明を実施するための最良の形態を説明する。
【００１６】
本発明で用いる機能パネル１は植栽タイルや太陽電池パネル（ソーラーユニット）などであって、全体がほぼ平板状に形成されるものである。以下では、機能パネル１として植栽タイルを用いた場合を説明する。
【００１７】
図２に示すように、植栽タイルはパネル２０の表面に植物を植生させたものであって、上記特許文献１に記載されているものを好適に用いることができる。すなわち、植栽タイルとしては平板状のパネル２０の一面である上面に多数本の植物２１を植え付けて生育させることにより形成されるものである。パネル２０としては、例えば、３００×３００ｍｍでセラミック製の基板２０ａと土保持層２０ｂ及び土２０ｃからなる三層のものを使用することができる。
【００１８】
基板２０ａとしては、粒状の無機多孔体を盤状に成形して固化させてなるものを用いることができ、例えば、粒状の無機多孔体とガラス粉とを混合して焼成し、溶融して固化したガラスによって粒状無機多孔体同士を結着したものを用いることができる。このような基板２０ａでは、無機多孔体同士の間の比較的大きな空隙に植物２１の根が入り込み易く、また、無機多孔体が保水や水浄化の機能を有するので、植物２１の生育に好適である。上記無機多孔体としては、ゼオライト、バーミキュライト、鹿沼土、マサ土、赤玉土などを好適に用いることができる。また、無機多孔体の平均粒径は、０．５〜１０ｍｍ、特に２〜５ｍｍが好ましい。さらに、無機多孔体としては天然鉱物を粗砕して上記粒度に篩分けしたのものであってもよく、それよりも細かい粒度のものを造粒して焼成し、粒状としたものであってもよい。
【００１９】
基板２０ａに用いる無機多孔体がゼオライトである場合、Ｎ，Ｐ両成分を除去することができる。また、基板２０ａに用いる無機多孔体がバーミキュライトであれば、Ｎ成分を除去でき、鹿沼土であればＰ成分を除去できる。また、基板２０ａに用いる無機多孔体が鉄分の多い都市ゴミなどの焼却灰（例えばＦｅ２Ｏ３を１％以上、特に１０％以上含むもの）や、鉄屑、石灰石、貝殻など、鉄イオン、カルシウムイオンを供給するものを含有する場合、Ｐ成分をリン酸鉄やリン酸カルシウムとして除去することができる。この焼却灰等は、ゼオライト、バーミキュライト、鹿沼土などの粉体あるいは粉粒体と混合され、造粒及び焼成されて粒状体とされる。焼却灰等の配合割合は、ゼオライト等１００重量部に対し、都市ゴミ焼却灰の場合５〜２０重量部、鉄屑の場合１〜１５重量部、石灰石及び貝殻の場合５〜５０重量部程度が好ましい。
【００２０】
このような基板２０ａを製造するにあたっては、上記の無機多孔体に対しガラス粉を添加し、このガラスの融点よりも高い温度にまで加熱し、ガラスを熔融させ、次いで冷却してガラスを固化させ、この固化したガラスによって無機多孔体同士を結着するのが好ましい。このガラスとしては珪酸ソーダガラス、ホウ珪酸ソーダガラスなどの珪酸系のものが好適であるが、これに限定されるものではない。また、ガラスは新品のガラスであってもよく、廃ガラスであってもよく、あるいは釉薬に用いられるガラスフリットであってもよい。上記のガラス粉の平均粒径は１０〜２０００μｍ、特に１０〜５０μｍが好ましい。ガラス粉の配合量は無機多孔体１００重量部に対し５〜１００重量部、特に２０〜５０重量部程度が好ましい。上記のようにして製造された基板２０ａには、粒状の無機多孔体同士の間に平均して５００μｍ〜５ｍｍ程度の空隙が形成されていることが好ましい。
【００２１】
また、基板２０ａの無機多孔体同士の間の空隙には、有機系バインダーが配合された土を詰めてもよい。このような有機系バインダーとしては、デンプン、メチルセルロース（ＭＣ）、カルボキシメチルセルロース（ＣＭＣ）、「とびこ（飛粉）」と称されるこんにゃく滓などが好適である。有機系バインダーの添加量は、乾燥重量で１００重量部の土に対し、１０〜３０重量部が好適である。
【００２２】
このような土を目詰めした基板２０ａ又は土を目詰めしていない基板２０ａの上に、土保持層２０ｂを設け、この土保持層２０ｂに土を詰めるか又は土保持層２０ｂの上に土２０ｃを堆積させてパネル２０を形成することができる。この土２０ｃとしては、降雨による流去や風による飛散を防止するために上記の有機系バインダー配合土を用いるのが好ましい。また、土保持層２０ｂとしては、ヤシやココナツの木の繊維をマット状に成形したヤシマットやココナツマット、ガラス繊維、スラグ繊維等の鉱物質繊維の不織布、ウレタン等の軟質合成樹脂のスポンジ等が好適である。この土保持層２０ｂの厚さは１０〜５０ｍｍ程度が好適である。また、土保持層２０ｂは繊維同士の間やスポンジ孔等に土の少なくとも一部が入り込むので土の流去や飛散を防止する機能を有する。また、土保持層２０ｂに詰めるか又はその上に堆積させる土２０ｃの量は植物２１の種類等に応じて適宜定めればよい。
【００２３】
上記のようなパネル２０に生育させる植物２１は、スナゴケ、ハイゴケ等のコケ類、メキシコマンネングサ、ツルマンネングサ、サカサマンネングサなどのセダム類が好適である。このセダム類は、多年草であり、成長しても高さが低く（１０〜３０ｍｍ程度）、屋根において生育させるのに好適であり、また、基本的に剪定等のメンテナンスが不要、施肥が不要で薄層・軽量にて勾配屋根に適用しやすい、大掛かりな灌水システムが不要で低コストで使用水が少なくて済む、年間を通じて一定レベルの植栽が確保できて基本的に枯れない、日射を好むなどのメリットがある。
【００２４】
図３（ａ）に示すように、屋根材（溝板）２としては縦葺き屋根材を例示することができるが、これに限定されず、従来から普通に用いられているもので、押えキャップ７を取り付けることができる接続部６を上面に突出して形成されるものであれば適宜使用することができ、例えば、瓦棒葺や折板や横葺きなどの屋根材を用いてもよい。
【００２５】
屋根材２は厚み０．３〜１．２ｍｍで耐食性のある金属板等を折り曲げ加工して形成されるものであって、例えば、ステンレス鋼板、亜鉛めっき鋼板、ガルバリウム鋼板（登録商標）、カラー鋼板やカラーステンレス鋼板、又は塩化ビニル系樹脂やフッ素系樹脂をラミネートした鋼板などを用いることができる。
【００２６】
屋根材２は平板状の屋根材本体（溝部）２２の一方の側端部（屋根下地５の傾斜方向と平行な端部で例えば軒棟方向と平行な端部）の略全長に亘って嵌合部３を上方（屋根材２の表面側）に向けて突出させると共に屋根材本体２２の他方の側端部の略全長に亘って被嵌合部４を上方に向けて突出させることによって形成されている。これらの嵌合部３と被嵌合部４は後述のように、隣接する屋根材２、２を接続することにより接続部（屋根はぜ部）６として形成されるものである。
【００２７】
屋根材２の嵌合部３は断面略逆Ｊ字状に形成されており、その内側にはＥＰＤＭなどのゴム弾性体で形成されるパッキン２３が嵌め込まれている。また、嵌合部３の外側先端部は係止片２４として上方に向けて折り返し屈曲されていると共に、嵌合部３の上面にはビスなどの固定具１１を打ち込むための凹部２５が形成されている。
【００２８】
屋根材２の被嵌合部４は断面略Ｕ字状に形成されており、その屋根材本体２２側の側面には係止凹部２６が凹設されている。また、被嵌合部４の外側先端部には固定片２７が延設されている。
【００２９】
図３（ｂ）に示すように、押えキャップ７は上記屋根材２と同様の金属板等を折り曲げ加工して長尺で三角キャップのように形成されるものであって、例えば、上記機能パネル１の三枚分の長さに形成することができるが、これに限定されるものではない。この押えキャップ７は、平板状の上面片２８と、上面片２８の両端から斜め下方に下り傾斜する二つの傾斜片２９と、各傾斜片２９から略水平に折り曲げ屈曲して形成した二つの押え部１２と、各押え部１２の先端から下方に向って突設した二つの挿入片３０とを備えて形成されている。
【００３０】
そして、本発明の機能パネル付設屋根を形成するにあたっては、次のようにして行う。まず、図４に示すように、複数枚の屋根材２を母屋などの屋根下地５に載置する。ここで、嵌合部３及び被嵌合部４は軒棟方向と略平行に配置されるが、隣接する屋根材２、２の嵌合部３と被嵌合部４が嵌合されて接続部６が形成される。すなわち、一の屋根材２の固定片２７をビス等の固定具３１で屋根下地５に固定した後、この固定した屋根材２の被嵌合部４に他の屋根材２の嵌合部３を被せて嵌合すると共に嵌合部３の係止片２４を被嵌合部４の係止凹部２６に係止する。このようにして嵌合部３と被嵌合部４との間でパッキン２３を圧縮しながら嵌合して接続部６を形成することができる。
【００３１】
上記のようにして複数枚の屋根材２を屋根下地５に載置して固定した後、図１に示すように、隣り合う接続部６、６の間において屋根材本体２２に複数枚の機能パネル１、１…を載置する。機能パネル１の幅寸法（軒棟方向と直交する方向の寸法）は屋根材本体２２の幅寸法とほぼ同一か、屋根材本体２２の方がやや大きめに形成されており、複数枚の機能パネル１、１…は軒棟方向に並設されている。図１では三枚の機能パネル１を並設した場合を示しているが、これに限らず、軒棟方向の全長に亘って機能パネル１を並設することができる。
【００３２】
上記のようにして複数枚の機能パネル１、１…を屋根材２の屋根材本体２２に載置した後、押えキャップ７を接続部６に取り付けて機能パネル１、１…を固定する。すなわち、図４に示すように、接続部６と機能パネル１の側面との間に押えキャップ７の挿入片３０を挿入した後、押えキャップ７の上面片２８の上側からパッキン２３及び接続部６（嵌合部３と被嵌合部４）とを貫通するようにして固定具１１を打ち込む。このようにして接続部６に沿って長尺の押えキャップ７を配設し、押えキャップ７の両側の押え部１２を複数枚の機能パネル１、１…の上面側端部に当接させて上から押さえ付けると共に押えキャップ７の挿入片３０を複数枚の機能パネル１、１…の側面上部に当接させることによって、複数枚の機能パネル１、１…を一つの押えキャップ７で屋根材２の上に固定することができる。
【００３３】
このように本発明では、一つの押えキャップ７で複数枚の機能パネル１、１…を同時に固定するものであり、押えキャップ７を化粧カバーと固定具として兼用することにより、部品点数が多くなったり、施工に手間がかかったりすることが少なくなり、また、機能パネル１を屋根材２の表面にビス止めしないために防水性（止水性）を高くすることができる。また、後述の係止具９とキャップ本体８を一体化したものとして押えキャップ７を形成しているので、部品点数を少なくすることができ、コストダウンを図ることができる。また、機能パネル１をメンテナンスする場合、押えキャップ７を外すことで機能パネル１の交換を容易に行うことができる。また、接続部６を仮足場とすることによって、機能パネル１を踏むことなく屋根上を歩行することができ、機能パネル１の割れ等を防止しながら屋根などのメンテナンスを行うことができる。
【００３４】
図５〜７に他の実施の形態を示す。この機能パネル付設屋根では、図６のように、屋根材２の嵌合部３や被嵌合部４が図３（ａ）に示すものよりも幅狭であり、また、係止片２４や係止凹部２６は形成されておらず、嵌合部３と被嵌合部４に設けた係止突起３２の係止により嵌合部３と被嵌合部４は係止されるものである。また、図７（ａ）（ｂ）に示すように、押えキャップ７をキャップ本体８と係止具９とで構成している。その他の構成は上記実施の形態と同様である。
【００３５】
キャップ本体８は上記屋根材２と同様の金属板等を折り曲げ加工して長尺に形成されるものであって、この実施の形態では、下面が開口する略半円状の断面形状が形成されている。また、キャップ本体８の両端には係着突起３３が内側に折り返し屈曲にて形成されている。
【００３６】
係止具９はキャップ本体８よりもやや厚い金属板等を折り曲げ加工して長尺に形成されるものであって、通し吊子などと称されるものである。この係止具９は、下面が開口する断面略コ字状の固定部３４と、固定部３４の両端から外方に向かって略水平に突設した二つの平板状の押え部１２と、各押え部１２の先端から上方に向かって突設した二つの断面略く字状の係着片３５とを備えて形成されている。
【００３７】
そして、この実施の形態の機能パネル付設屋根を形成するにあたっては、ほぼ上記と同様にして行うことができる。すなわち、まず、複数枚の屋根材２を母屋などの屋根下地５に載置すると共に、隣接する屋根材２、２の嵌合部３と被嵌合部４とを嵌合して接続部６を形成する。この時、嵌合部３と被嵌合部４との間でパッキン２３が圧縮されると共に係止突起３２の係止により嵌合部３と被嵌合部４は係止されるものであり、固定片２７を屋根下地５に固定しない。次に、上記と同様にして隣り合う接続部６、６の間において屋根材本体２２に複数枚の機能パネル１、１…を軒棟方向の全長に亘って並設して載置する。
【００３８】
このようにして複数枚の機能パネル１、１…を屋根材２の屋根材本体２２に載置した後、上記と同様に、押えキャップ７を接続部６に取り付けて機能パネル１、１…を固定するが、この実施の形態では、押えキャップ７が係止具９とキャップ本体８とで構成されているために、これらを順次取り付ける。すなわち、まず、係止具９を接続部６の上部に取り付ける。この場合、係止具９の固定部３４の下側に接続部６の上部を嵌め込んだ後、固定部３４の上側からビス等の固定具１１を屋根下地５にまで貫通するように打ち込む。このようにして接続部６の軒棟方向に沿って係止具９を取り付けると共に係止具９の押え部１２を複数枚の機能パネル１、１…の上面側端部に当接させて上から押さえ付けることによって、複数枚の機能パネル１、１…を一つの係止具９で屋根材２の上に固定することができる。この後、係止具９にキャップ本体８を係着することにより接続部６の軒棟方向に沿ってキャップ本体８を取り付ける。ここで、係止具９へのキャップ本体８の係着は、係止具９の断面略く字状の係着片３５の下面にキャップ本体８の係着突起３３を係止することによって、行うことができる。
【００３９】
このようにして係止具９及び固定具１１をキャップ本体８で覆って接続部６に押えキャップ７を取り付けることができるが、この場合、キャップ本体８で固定具１１による係止具９の固定部分を覆うことができ、防水性を向上させることができる。
【００４０】
図８、９に他の実施の形態を示す。この機能パネル付設屋根は、キャップ本体８及び係止具９の形状が異なる以外は図５に示す実施の形態とほぼ同様に形成することができる。
【００４１】
図９（ｂ）に示すように、キャップ本体８は上記屋根材２と同様の金属板等を折り曲げ加工して長尺に形成されるものであって、この実施の形態では、平板状の上面片２８と、上面片２８の両端から斜め下方に下り傾斜する二つの傾斜片２９と、各傾斜片２９の先端から内側に折り返し屈曲して形成した係着突起３３とを備えている。
【００４２】
図９（ａ）に示すように、係止具９はキャップ本体８よりもやや厚い金属板等を折り曲げ加工して長尺に形成されるものであって、通し吊子などと称されるものである。この係止具９は、下面が開口する断面略コ字状の固定部３４と、固定部３４の両端から外方に向かって略水平に突設した二つの平板状の押え部１２と、各押え部１２の先端から少し上方に向かって突設した二つの板状の係着片３５とを備えて形成されている。
【００４３】
そして、この実施の形態の機能パネル付設屋根を形成するにあたっては、ほぼ上記と同様にして行うことができる。すなわち、まず、複数枚の屋根材２を母屋などの屋根下地５に載置すると共に、隣接する屋根材２、２の嵌合部３と被嵌合部４とを嵌合して接続部６を形成する。次に、押えキャップ７を接続部６に取り付けて機能パネル１、１…を固定するが、上記と同様に、係止具９とキャップ本体８とを順次取り付ける。すなわち、まず、係止具９の固定部３４の下側に接続部６の上部を嵌め込んだ後、固定部３４の上側からビス等の固定具１１を屋根下地５にまで貫通するように打ち込むことによって、係止具９を接続部６の上部に取り付ける。このようにして接続部６の軒棟方向に沿って係止具９を取り付けると共に係止具９の押え部１２を複数枚の機能パネル１、１…の上面側端部に当接させて上から押さえ付けることによって、複数枚の機能パネル１、１…を一つの係止具９で屋根材２の上に固定する。この後、係止具９にキャップ本体８を係着することにより接続部６の軒棟方向に沿ってキャップ本体８を取り付ける。ここで、係止具９へのキャップ本体８の係着は、係止具９の係着片３５の下面にキャップ本体８の係着突起３３を係止することによって、行うことができる。
【００４４】
この実施の形態では、略半円状のキャップ本体８を用いた図５の場合と比較して、キャップ本体８を小さくして目立たないようにすることができ、また、歩行安定性の向上を図ることができるものである。尚、この実施の形態の場合、キャップ本体８を用いなくても可能であるが、防水性の向上のためにキャップ本体８を使用する。
【００４５】
図１０、１１に他の実施の形態を示す。この機能パネル付設屋根は、図６に示す屋根材２と、図１１に示す押えキャップ７を用いて形成されるものである。この押えキャップ７は図４に示す押えキャップ７と断面形状が同等である。そして、まず、複数枚の屋根材２を母屋などの屋根下地５に載置すると共に、隣接する屋根材２、２の嵌合部３と被嵌合部４とを嵌合して接続部６を形成する。次に、押えキャップ７を接続部６に取り付けて機能パネル１、１…を固定する。すなわち、接続部６と機能パネル１の側面との間に押えキャップ７の挿入片３０を挿入した後、押えキャップ７の上面片２８の上側からパッキン２３及び接続部６（嵌合部３と被嵌合部４）とを貫通して屋根下地５にまで達するように固定具１１を打ち込む。このようにして接続部６に沿って長尺の押えキャップ７を配設し、押えキャップ７の押え部１２を複数枚の機能パネル１、１…の上面側端部に当接させて上から押さえ付けると共に押えキャップ７の挿入片３０を複数枚の機能パネル１、１…の側面上部に当接させることによって、複数枚の機能パネル１、１…を一つの押えキャップ７で屋根材２の上に固定するのである。
【００４６】
この実施の形態では、上記のような係止具９とキャップ本体８を一体化したものとして押えキャップ７を形成しているので、部品点数を少なくすることができ、コストダウンを図ることができる。
【００４７】
図１２に他の実施の形態を示す。この機能パネル付設屋根は、屋根材２と押えキャップ７の形状が上記の実施の形態のものと異なる。すなわち、図１３に示すように、屋根材２の一方の側端部と他方の側端部には嵌合部３と被嵌合部４とを上方に突出して設けているが、嵌合部３の上端には外方と内方に向かって２〜３ｍｍ突出する係合突起３６が設けられている。また、嵌合部３と被嵌合部４には係止突起３２が形成されていない。これら以外の構成は図６に示す上記屋根材２と同様に形成されている。また、図１４に示すように、押えキャップ７は挿入片３０が断面く字状に屈曲されている以外は、図１１に示す上記押えキャップ７と同様に形成することができる。
【００４８】
そして、この実施の形態の機能パネル付設屋根を形成するにあたっては、次のようにして行うことができる。すなわち、まず、複数枚の屋根材２を母屋などの屋根下地５に載置すると共に、隣接する屋根材２、２の嵌合部３と被嵌合部４とを嵌合して接続部６を形成する。この時、嵌合部３と被嵌合部４との間でパッキン２３が圧縮される。また、嵌合部３の上面からビス等の固定具１１を屋根下地５にまで貫通するように打ち込む。このようにして屋根材２を屋根下地５に固定する。次に、上記と同様にして隣り合う接続部６、６の間において屋根材本体２２に複数枚の機能パネル１、１…を軒棟方向の全長に亘って並設して載置する。
【００４９】
このようにして複数枚の機能パネル１、１…を屋根材２の屋根材本体２２に載置した後、押えキャップ７を接続部６に取り付けて機能パネル１、１…を固定するが、この実施の形態では、押えキャップ７を接続部６に係止して取り付ける。すなわち、接続部６と機能パネル１の側面との間に押えキャップ７の挿入片３０を挿入すると共に、接続部６の上部の係合突起３６の下面に押えキャップ７の押え部１２を弾性的に着脱自在に係止することによって、接続部６の軒棟方向に沿って押えキャップ７を取り付ける。また、押えキャップ７の押え部１２を複数枚の機能パネル１、１…の上面側端部に当接させて上から押さえ付けることによって、複数枚の機能パネル１、１…を一つの押えキャップ７で屋根材２の上に固定することができる。
【００５０】
このようにして固定具１１を押えキャップ７で覆って接続部６に押えキャップ７を取り付けることができ、この場合、押えキャップ７で固定具１１による屋根材２の固定部分を覆うことができ、防水性を向上させることができる。また、接続部６から押えキャップ７を取り外すことによって、機能パネル１を容易に交換することができる。
【００５１】
図１５には屋根材２の他例を示す。この屋根材２は小波板状（同一間隔で連続的に凹と凸の繰り返し模様を有する形状）に形成されるものであり、その他の構成は図３に示す屋根材２と同様である。そして、上記と同様にして屋根材２の上に機能パネル１を付設することによって、屋根材２とそれに載置した機能パネル１との間に隙間を形成することができ、この隙間を通して雨水を屋根材２上で流下させることができる。通常、灌漑設備は棟側にあり、上記隙間を通して軒先部まで屋根全面に亘って給水することができ、また、余分な水の排水は根腐れ防止になるものである。
【００５２】
図１６には屋根材２の他例を示す。この屋根材２はその表面に貯水用の凹部１０を複数個設けて形成したものであり、その他の構成は図３に示す屋根材２と同様である。そして、上記と同様にして屋根材２の上に機能パネル１を付設することによって、凹部１０に溜まった雨水などの水を機能パネル１である植栽タイルに供給して植栽タイルの植物に供給することができ、植栽タイルの水不足を少なくすることができるものである。
【図面の簡単な説明】
【００５３】
【図１】本発明の実施の形態の一例を示す一部の斜視図である。
【図２】同上の機能パネルである植栽パネルの一例を示す斜視図である。
【図３】（ａ）は同上の屋根材を示す断面図、（ｂ）は同上の押えキャップを示す断面図である。
【図４】同上の一部の断面図である。
【図５】同上の他の実施の形態の一例を示す一部の断面図である。
【図６】同上の屋根材の他例を示す断面図である。
【図７】（ａ）は同上の係止具の一例を示す断面図、（ｂ）は同上のキャップ本体の一例を示す断面図である。
【図８】同上の他の実施の形態の一例を示す一部の断面図である。
【図９】（ａ）は同上の係止具の他例を示す断面図、（ｂ）は同上のキャップ本体の他例を示す断面図である。
【図１０】同上の他の実施の形態の一例を示す一部の断面図である。
【図１１】同上の押えキャップの他例を示す断面図である。
【図１２】同上の他の実施の形態の一例を示す一部の断面図である。
【図１３】同上の屋根材の他例を示す断面図である。
【図１４】同上の押えキャップの他例を示す断面図である。
【図１５】同上の屋根材の他例を示す断面図である。
【図１６】同上の屋根材の他例を示す斜視図である。
【符号の説明】
【００５４】
１  機能パネル
２  屋根材
３  嵌合部
４  被嵌合部
５  屋根下地
６  接続部
７  押えキャップ
８  キャップ本体
９  係止具
１０  凹部
１１  固定具
【図１】
2007051478.tif 000003
【図２】
2007051478.tif 000004
【図３】
2007051478.tif 000005
【図４】
2007051478.tif 000006
【図５】
2007051478.tif 000007
【図６】
2007051478.tif 000008
【図７】
2007051478.tif 000009
【図８】
2007051478.tif 000010
【図９】
2007051478.tif 000011
【図１０】
2007051478.tif 000012
【図１１】
2007051478.tif 000013
【図１２】
2007051478.tif 000014
【図１３】
2007051478.tif 000015
【図１４】
2007051478.tif 000016
【図１５】
2007051478.tif 000017
【図１６】
2007051478.tif 000018